(57)【要約】【課題】種々の大きさの透過原稿を取り付ける作業性を向上させることができる保持装置を提供する。【解決手段】フィルムホルダー５０は、フィルム保持部５３０と、シート保持部５５０とを備え、シート保持部５５０は、基準平面に対して窪んだ凹平面５５２と、シートスライド方向Ｄ２に略沿って凹平面５５２を拡張した拡張凹平面５５４と、拡張凹平面５５４の境界部５５４２から補助シート９０の長さと略同じ距離を取った位置で補助シート９０を押圧する押圧部５５６と、シートスライド方向Ｄ２に略沿って基準平面５１０から拡張凹平面５５４を経て凹平面５５２に至る第１開口部５５８とを含む。【選択図】図５
2010243661.tif 000002
【特許請求の範囲】
【請求項１】
画像読取装置の原稿台に設置される保持装置であって、
前記原稿台と略平行する基準平面と、
透過原稿を保持する透過原稿保持部と、
前記透過原稿の長さ不足を補って前記透過原稿保持部による前記透過原稿の保持を補助する補助シートを、滑らせて出し入れ可能に保持するシート保持部と
を備え、
前記シート保持部は、
前記補助シートと略同じ大きさに亘って前記基準平面に対して窪んだ凹平面と、
前記補助シートを滑らせるスライド方向に略沿って前記凹平面を拡張した拡張凹平面と、
前記拡張凹平面における前記凹平面に対向する前記基準平面との境界部から、前記補助シートにおける前記スライド方向の長さと略同じ距離を取った位置で、前記凹平面に向けて前記補助シートを押圧する押圧部と、
前記スライド方向に略沿って前記基準平面から前記拡張凹平面を経て前記凹平面に至る開口部と
を含む、保持装置。
【請求項２】
前記拡張凹平面は、前記スライド方向に略沿って前記基準平面から前記凹平面へと傾斜する傾斜面を含む、請求項１に記載の保持装置。
【請求項３】
請求項１または請求項２に記載の保持装置であって、
前記透過原稿保持部は、
前記透過原稿を位置決めする原稿位置決め部と、
前記原稿位置決め部に位置決めされた透過原稿を固定する原稿固定部と、
原稿固定部に形成された取っ手と
を含み、
前記シート保持部は、前記取っ手からずれた位置に設けられた、保持装置。
【請求項４】
前記シート保持部における前記スライド方向は、前記透過原稿保持部に前記透過原稿を出し入れする方向に略平行する請求項１ないし請求項３のいずれかに記載の保持装置。
【請求項５】
請求項１ないし請求項４のいずれかに記載の保持装置を備える画像読取装置。
【発明の詳細な説明】
【技術分野】
【０００１】
本発明は、画像読取装置（イメージスキャナー）の原稿台において透過原稿を保持する保持装置に関する。
【背景技術】
【０００２】
従来、フラットベッド（Flat Bed）方式の画像読取装置の一つとして、紙のように光を反射する反射原稿を読み取る場合には、原稿から反射した光を読み取り、写真フィルムのように光を透過する透過原稿を読み取る場合には、原稿を透過した光を読み取るものが知られている（特許文献１）。このような画像読取装置では、保持装置を利用して透過原稿の読み取りが実施される。保持装置には、透過原稿の大きさに合わせた開口部が形成され、この開口部に合わせて透過原稿が固定される。特に、写真フィルムを保持する保持装置は、フィルムホルダーとも呼ばれる。
【先行技術文献】
【特許文献】
【０００３】
【特許文献１】特開２００６−２８４８８５号公報
【発明の概要】
【発明が解決しようとする課題】
【０００４】
しかしながら、従来、種々の大きさの透過原稿に柔軟に対応可能な保持装置について十分な検討がなされていなかった。例えば、写真フィルムには、縦横比が２：３の通常サイズに加え、通常サイズよりも細長いパノラマサイズのものがあり、パノラマサイズの長さも様々であることから、煩雑な作業を行うことなく、種々のサイズの写真フィルムを保持することができる保持装置が求められていた。
【０００５】
本発明は、上記した課題を踏まえ、種々の大きさの透過原稿を取り付ける作業性を向上させることができる保持装置および画像読取装置を提供することを目的とする。
【課題を解決するための手段】
【０００６】
本発明は、上述の課題の少なくとも一部を解決するためになされたものであり、以下の形態または適用例として実現することが可能である。
【０００７】
［適用例１］  適用例１の保持装置は、画像読取装置の原稿台に設置される保持装置であって、前記原稿台と略平行する基準平面と、透過原稿を保持する透過原稿保持部と、前記透過原稿の長さ不足を補って前記透過原稿保持部による前記透過原稿の保持を補助する補助シートを、滑らせて出し入れ可能に保持するシート保持部とを備え、前記シート保持部は、前記補助シートと略同じ大きさに亘って前記基準平面に対して窪んだ凹平面と、前記補助シートを滑らせるスライド方向に略沿って前記凹平面を拡張した拡張凹平面と、前記拡張凹平面における前記凹平面に対向する前記基準平面との境界部から、前記補助シートにおける前記スライド方向の長さと略同じ距離を取った位置で、前記凹平面に向けて前記補助シートを押圧する押圧部と、前記スライド方向に略沿って前記基準平面から前記拡張凹平面を経て前記凹平面に至る開口部とを含むことを特徴とする。適用例１の保持装置によれば、透過原稿の大きさに応じて補助シートをシート保持部から容易に取り出すことができると共に、補助シートが不要な場合には補助シートをシート保持部に容易に収納することができる。また、適用例１の保持装置によれば、補助シートの使用および不使用のいずれの場合においても、補助シートが保持装置に保持されることから、補助シートの紛失を防止することができる。
【０００８】
［適用例２］  適用例１の保持装置において、前記拡張凹平面は、前記スライド方向に略沿って前記基準平面から前記凹平面へと傾斜する傾斜面を含むとしても良い。適用例２の保持装置によれば、補助シートの取り出しおよび収納を円滑に行うことができる。
【０００９】
［適用例３］  適用例１または適用例２の保持装置において、前記透過原稿保持部は、前記透過原稿を位置決めする原稿位置決め部と、前記原稿位置決め部に位置決めされた透過原稿を固定する原稿固定部と、原稿固定部に形成された取っ手とを含み、前記シート保持部は、前記取っ手からずれた位置に設けられたとしても良い。適用例３の保持装置によれば、補助シートの出し入れを行う際に作業者の手が取っ手に干渉することや、取っ手を介した透過原稿の固定および解除を行う際に作業者の手がシート保持部に干渉することを防止することができる。
【００１０】
［適用例４］  適用例１ないし適用例３のいずれかの保持装置において、前記シート保持部における前記スライド方向は、前記透過原稿保持部に前記透過原稿を出し入れする方向に略平行するとしても良い。適用例４の保持装置によれば、作業姿勢を大きく変更することなく補助シートを取り使うことができる。
【００１１】
［適用例５］  適用例１ないし適用例４のいずれかの保持装置を画像読取装置に備えても良い。適用例５の画像読取装置によれば、種々の大きさの透過原稿を読み取ることができる。
【００１２】
本発明の形態は、保持装置および画像読取装置に限るものではなく、他の形態に適用することもできる。また、本発明は、前述の形態に何ら限定されるものではなく、本発明の趣旨を逸脱しない範囲内において様々な形態で実施し得ることは勿論である。
【図面の簡単な説明】
【００１３】
【図１】イメージスキャナーの構成を主に示す説明図である。
【図２】フィルムホルダーの詳細構成を示す説明図である。
【図３】フィルムホルダーの詳細構成を示す説明図である。
【図４】フィルムホルダーの詳細構成を示す説明図である。
【図５】シート保持部の詳細構成を示す説明図である。
【図６】図５における断面Ａ−Ａでシート保持部を切断して押圧部の詳細構成を示す断面図である。
【発明を実施するための形態】
【００１４】
以上説明した本発明の構成および作用を一層明らかにするために、以下本発明を適用したイメージスキャナーについて説明する。
【００１５】
Ａ．実施例：
Ａ１．イメージスキャナーの構成：
図１は、イメージスキャナー１０の構成を主に示す説明図である。イメージスキャナー１０は、フラットベッド方式の画像読取装置であり、原稿を光学的に読み取りイメージデータを生成する。イメージスキャナー１０は、原稿が光を反射する反射原稿である場合には原稿から反射した光を読み取り、原稿が光を透過する透過原稿である場合には原稿から透過した光を読み取る。イメージスキャナー１０は、フィルムホルダー５０と、本体筐体１１０と、蓋筐体１２０と、原稿台１３０と、画像読取部１４０と、透過光源部１５０と、機器インターフェース１８０と、ユーザーインターフェース１９０とを備える。
【００１６】
イメージスキャナー１０のフィルムホルダー５０は、イメージスキャナー１０の原稿台１３０に設置され、透過原稿の一つである写真フィルム８０を画像読取部１４０で読み取り可能に保持する保持装置である。フィルムホルダー５０の構成についての詳細は後述する。
【００１７】
イメージスキャナー１０の本体筐体１１０は、画像読取部１４０を収容する。本実施例では、本体筐体１１０は、直方体状の箱体である。
【００１８】
イメージスキャナー１０の原稿台１３０は、本体筐体１１０に設けられ、原稿を載せる平面を構成し、その平面の一部として、透明な素材で形成された透明部１３２を備える。本実施例では、原稿台１３０は、本体筐体１１０の上面に設けられ、原稿台１３０の透明部１３２は、本体筐体１１０の上面よりも小さな矩形状の無色透明なガラスである。
【００１９】
イメージスキャナー１０の蓋筐体１２０は、原稿台１３０の上方を開閉可能な蓋体であり、本体筐体１１０に設けられている。本実施例では、蓋筐体１２０は、原稿台１３０の透明部１３２よりも大きな形状を有し、本体筐体１１０に軸着されている。
【００２０】
イメージスキャナー１０の画像読取部１４０は、原稿台１３０の透明部１３２に載せられた原稿を走査して光学的に読み取り、その原稿を表現するイメージデータを生成する。画像読取部１４０は、ＣＣＤ(Charge Coupled Device)やＣＭＯＳ(Complementary Metal Oxide Semiconductor)などの固体撮像素子や、原稿を照らす光源、これらを原稿の位置に合わせて移動させる駆動部などを備える。
【００２１】
イメージスキャナー１０の透過光源部１５０は、原稿台１３０においてフィルムホルダー５０に保持された写真フィルム８０に光を投射する。透過光源部１５０から投射された光は、フィルムホルダー５０に保持された写真フィルム８０を透過した後、画像読取部１４０によって捕捉される。
【００２２】
イメージスキャナー１０の機器インターフェース１８０は、イメージスキャナー１０に接続されるパーソナルコンピューターや記憶装置などの外部機器（図示しない）との間で情報のやり取りを行う。本実施例では、機器インターフェース１８０は、画像読取部１４０によって生成されたイメージデータをイメージスキャナー１０の外部に出力することが可能である。
【００２３】
イメージスキャナー１０のユーザーインターフェース１９０は、イメージスキャナー１０を使用するユーザーとの間で情報のやり取りを行う。本実施例では、ユーザーインターフェース１９０は、ユーザーからの操作入力を受け付ける操作ボタンを備え、他の実施形態において、ユーザーに向けて種々の情報を表示する表示部を備えても良い。
【００２４】
Ａ２．フィルムホルダーの構成：
図２ないし図４は、フィルムホルダー５０の詳細構成を示す説明図である。フィルムホルダー５０は、原稿台１３０の透明部１３２に合わせた形状に成形され、本実施例では、黒色の不透明な合成樹脂を用いて、略長方形の板状に成形されている。フィルムホルダー５０は、基準平面５１０と、位置決め部５２０と、フィルム保持部５３０と、シート保持部５５０とを備える。
【００２５】
フィルムホルダー５０の基準平面５１０は、フィルムホルダー５０がイメージスキャナー１０の原稿台１３０に設置された際に、原稿台１３０の透明部１３２と略平行する平面である。フィルムホルダー５０における各部は、基準平面５１０を基準に配置されている。
【００２６】
フィルムホルダー５０の位置決め部５２０は、イメージスキャナー１０の原稿台１３０に対するフィルムホルダー５０の位置を決定する。本実施例では、位置決め部５２０は、原稿台１３０の一部と嵌り合う形状に成形されている。本実施例では、位置決め部５２０は、基準平面５１０と共に一体成形されている。
【００２７】
フィルムホルダー５０のフィルム保持部５３０は、写真フィルム８０を保持する。図４に示すように、フィルム保持部５３０は、フィルムスライド方向Ｄ１に沿って写真フィルム８０を滑らせて出し入れ可能である。フィルムスライド方向Ｄ１は、フィルムホルダー５０が原稿台１３０に設置された際に、原稿台１３０の平面と略平行する方向であり、本実施例では、原稿台１３０の長辺に略沿った方向である。
【００２８】
フィルム保持部５３０は、補助シート９０を用いて種々の長さの写真フィルム８０を保持可能である。補助シート９０は、フィルム保持部５３０に対する写真フィルム８０の長さ不足を補ってフィルム保持部５３０による写真フィルム８０の保持を補助する。本実施例では、補助シート９０は、黒色の不透明な合成樹脂を用いて、写真フィルム８０と略同じ幅の薄板状に成形され、写真フィルム８０の長さが不足する場合、写真フィルム８０の下に敷設される。
【００２９】
フィルム保持部５３０は、図２ないし図４に示すように、透過開口部５３１と、フィルム位置決め部５３２と、傾斜面５３３と、フィルム固定部５３４と、取っ手５３５と、軸支部５３６と、係合凸部５３７とを備える。本実施例では、フィルム保持部５３０における透過開口部５３１、フィルム位置決め部５３２、傾斜面５３３、軸支部５３６、係合凸部５３７の各部は、基準平面５１０と共に一体成形され、フィルム固定部５３４および取っ手５３５は、基準平面５１０とは別部材として一体成形されている。
【００３０】
フィルム保持部５３０の透過開口部５３１は、透過光源部１５０から写真フィルム８０を透過した透過光を画像読取部１４０へと通過させる開口を形成する。本実施例では、透過開口部５３１は、パノラマサイズの写真フィルム８０に対応する長さを有する矩形状の開口を形成する。
【００３１】
フィルム保持部５３０のフィルム位置決め部５３２は、写真フィルム８０を位置決めする。本実施例では、フィルム位置決め部５３２は、フィルムガイド５３２２と、フィルムレール５３２４とを備える。フィルム位置決め部５３２のフィルムガイド５３２２およびフィルムレール５３２４は、フィルムスライド方向Ｄ１に略沿って形成され、フィルムガイド５３２２は、写真フィルム８０の厚さ方向の位置ズレを防止し、フィルムレール５３２４は、写真フィルム８０の幅方向の位置ズレを防止する。
【００３２】
フィルム保持部５３０の傾斜面５３３は、フィルムスライド方向Ｄ１に略沿って基準平面５１０からフィルム位置決め部５３２へと傾斜する。これによって、フィルム保持部５３０に対する写真フィルム８０の出し入れを円滑に実施することを可能にすると共に、フィルム保持部５３０から飛び出した補助シート９０の折れ曲がりを防止することができる。
【００３３】
フィルム保持部５３０のフィルム固定部５３４は、フィルム位置決め部５３２に位置決めされた写真フィルム８０を固定する。フィルム固定部５３４には、ユーザーによる写真フィルム８０の固定および解除の操作を容易にするため取っ手５３５が設けられている。
【００３４】
本実施例では、フィルム固定部５３４は、フィルム位置決め部５３２に位置決めされた写真フィルム８０の外縁部を押え付ける枠体であり、フィルム固定部５３４に対して開閉可能に軸着されている。図２には、フィルム固定部５３４を閉じた状態が示され、図３および図４には、フィルム固定部５３４を開いた状態が示されている。
【００３５】
本実施例では、フィルム固定部５３４は、投光開口部５３４２と、係合凹部５３４６と、軸部５３４８とを備える。フィルム固定部５３４の投光開口部５３４２は、透過光源部１５０から投射された投射光を写真フィルム８０へと通過させる矩形状の開口を形成する。フィルム固定部５３４の係合凹部５３４６は、フィルム位置決め部５３２の周囲に形成された係合凸部５３７に係合することによって、フィルム位置決め部５３２に写真フィルム８０を固定した状態を維持する。フィルム固定部５３４の軸部５３４８は、軸支部５３６と嵌り合うことによってフィルム固定部５３４を開閉可能に支持する軸体である。
【００３６】
フィルムホルダー５０のシート保持部５５０は、補助シート９０を滑らせて出し入れ可能に保持する。図３に示すように、シート保持部５５０は、シートスライド方向Ｄ２に補助シート９０を滑らせて出し入れ可能である。シートスライド方向Ｄ２は、フィルムホルダー５０が原稿台１３０に設置された際に、原稿台１３０の平面と略平行する方向である。本実施例では、原稿台１３０の長辺に略沿った方向であり、フィルムスライド方向Ｄ１に略平行するが、他の実施形態において、フィルムスライド方向Ｄ１に交差しても良い。本実施例では、シート保持部５５０は、フィルム保持部５３０の取っ手５３５からずれた位置に設けられているが、他の実施形態において、取っ手５３５に並列する位置に設けても良い。
【００３７】
シート保持部５５０は、図２ないし図４に示すように、凹平面５５２と、拡張凹平面５５４と、押圧部５５６と、第１開口部５５８と、第２開口部５５９とを備える。本実施例では、シート保持部５５０の各部は、基準平面５１０と共に一体成形されている。
【００３８】
図５は、シート保持部５５０の詳細構成を示す説明図である。図５の中段には、フィルムホルダー５０の基準平面５１０に直交する方向からを見たシート保持部５５０の上面図が示され、この上面図における開口にはハッチングが施されている。シート保持部５５０と補助シート９０との関係を対比するために、図５の上段および下段には補助シート９０が示されている。図６は、図５における断面Ａ−Ａでシート保持部５５０を切断して押圧部５５６の詳細構成を示す断面図である。
【００３９】
シート保持部５５０の凹平面５５２は、補助シート９０と略同じ大きさに亘って基準平面に対して窪んだ平面である。本実施例では、図５に示すように、凹平面５５２におけるシートスライド方向Ｄ２に沿った長さＬ１は、補助シート９０におけるシートスライド方向Ｄ２に沿った長さと略同じである。
【００４０】
シート保持部５５０の拡張凹平面５５４は、シート保持部５５０から補助シート９０を取り出す方向へ向けて、シートスライド方向Ｄ２に略沿って凹平面５５２を拡張した平面である。本実施例では、拡張凹平面５５４は、シートスライド方向Ｄ２に略沿って基準平面５１０から凹平面５５２へと傾斜する傾斜面である。
【００４１】
シート保持部５５０の押圧部５５６は、凹平面５５２に向けて補助シート９０を押圧する。本実施例では、押圧部５５６は、二つ設けられているが、他の実施形態において、一つであっても良いし、三つ以上であっても良い。本実施例では、シート保持部５５０の押圧部５５６は、押圧支持部５５６２と、押圧凸部５５６４と、凹圧開口部５５６６とを備える。押圧部５５６の押圧支持部５５６２は、図６に示すように、凹平面５５２に収納された補助シート９０の上方に基準平面５１０から張り出す。押圧部５５６の凹圧開口部５５６６は、押圧支持部５５６２を基準平面５１０と一体成形する際の型抜きのために設けられている。押圧部５５６の押圧凸部５５６４は、押圧支持部５５６２の端部に設けられ、凹平面５５２に収納された補助シート９０に当たり接することによって、補助シート９０を凹平面５５２に向けて押圧する。
【００４２】
本実施例では、図５に示すように、拡張凹平面５５４における凹平面５５２に対向する基準平面５１０との境界部５５４２から、押圧部５５６の押圧凸部５５６４までの長さＬ２は、補助シート９０におけるシートスライド方向Ｄ２に沿った長さと略同じである。これによって、押圧部５５６は、拡張凹平面５５４の境界部５５４２から補助シート９０におけるシートスライド方向Ｄ２の長さと略同じ距離を取った位置で、補助シート９０を凹平面５５２に向けて押圧する。
【００４３】
シート保持部５５０の第１開口部５５８は、図５に示すように、シートスライド方向Ｄ２に略沿って基準平面５１０から拡張凹平面５５４を経て凹平面５５２に至る開口を形成する。本実施例では、第１開口部５５８による開口の大きさは、補助シート９０をシート保持部５５０に出し入れする際に、ユーザーが指で補助シート９０を摘むことができる程度の大きさである。
【００４４】
シート保持部５５０の第２開口部５５９は、図５に示すように、凹平面５５２を挟んで第１開口部５５８に対向する側で、基準平面５１０から凹平面５５２に至る開口を形成する。本実施例では、第２開口部５５９による開口の大きさは、補助シート９０をシート保持部５５０から取り出す際に、ユーザーが指で補助シート９０を押圧部５５６から取り外すことができる程度の大きさである。
【００４５】
Ａ３．効果：
以上説明したフィルムホルダー５０によれば、写真フィルム８０の大きさに応じて補助シート９０をシート保持部５５０から容易に取り出すことができると共に、補助シート９０が不要な場合には補助シート９０をシート保持部５５０に容易に収納することができる。例えば、図５におけるシート保持部５５０と補助シート９０との関係からも明らかなように、補助シート９０をシート保持部５５０に収納する際には、補助シート９０が押圧部５５６の押圧凸部５５６４に当たるまで、シートスライド方向Ｄ２に沿って補助シート９０を凹平面５５２上で滑らせた後、第１開口部５５８に沿って指を動かして補助シート９０を凹平面５５２に格納することができる。他方、補助シート９０をシート保持部５５０から取り出す際には、第１開口部に指を入れて補助シート９０を摘み出すか、または、第２開口部に指を入れて補助シート９０を押し出すことによって、補助シート９０を押圧部５５６の押圧凸部５５６４から解放することができる。
【００４６】
また、補助シート９０の使用および不使用のいずれの場合においても、補助シート９０がフィルムホルダー５０に保持されることから、補助シート９０の紛失を防止することができる。
【００４７】
また、シート保持部５５０の拡張凹平面５５４は、シートスライド方向Ｄ２に略沿って基準平面５１０から凹平面５５２へと傾斜する傾斜面を含むことから、補助シート９０の取り出しおよび収納を円滑に行うことができる。
【００４８】
また、シート保持部５５０は、フィルム保持部５３０の取っ手５３５からずれた位置に設けられていることから、補助シート９０の出し入れを行う際にユーザーの手が取っ手５３５に干渉することや、取っ手５３５を介した写真フィルム８０の固定および解除を行う際にユーザーの手がシート保持部５５０に干渉することを防止することができる。
【００４９】
また、シート保持部５５０におけるシートスライド方向Ｄ２は、フィルム保持部５３０におけるフィルムスライド方向Ｄ１に略平行することから、作業姿勢を大きく変更することなく補助シート９０を取り使うことができる。
【００５０】
Ｂ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。
【符号の説明】
【００５１】
１０…イメージスキャナー
５０…フィルムホルダー
８０…写真フィルム
９０…補助シート
１１０…本体筐体
１２０…蓋筐体
１３０…原稿台
１３２…透明部
１４０…画像読取部
１５０…透過光源部
１８０…機器インターフェース
１９０…ユーザーインターフェース
５１０…基準平面
５２０…位置決め部
５３０…フィルム保持部
５３１…透過開口部
５３２…フィルム位置決め部
５３２２…フィルムガイド
５３２４…フィルムレール
５３３…傾斜面
５３４…フィルム固定部
５３４２…投光開口部
５３４６…係合凹部
５３４８…軸部
５３５…取っ手
５３６…軸支部
５３７…係合凸部
５５０…シート保持部
５５２…凹平面
５５４…拡張凹平面
５５６…押圧部
５５６２…押圧支持部
５５６４…押圧凸部
５５６６…凹圧開口部
５５４２…境界部
５５８…第１開口部
５５９…第２開口部
Ｄ１…フィルムスライド方向
Ｄ２…シートスライド方向
【図１】
2010243661.tif 000003
【図２】
2010243661.tif 000004
【図３】
2010243661.tif 000005
【図４】
2010243661.tif 000006
【図５】
2010243661.tif 000007
【図６】
2010243661.tif 000008